(57)【要約】【課題】カートリッジホルダーが変形すると、インクカートリッジがカートリッジホルダーにおける正常な位置に収容されないという課題がある。【解決手段】インクを収容するカートリッジを保持するカートリッジホルダー５を有し、カートリッジホルダー５は、正面フレーム４に対して固定され、側面フレーム２に対しては、側面フレーム２との相対的な移動を許容して許容以上の移動が規制されて対向して備えられる記録装置を提供する。【選択図】図５
2015174274.tif 000002
【特許請求の範囲】
【請求項１】
記録ユニットを保持するフレーム部と、
前記フレーム部に固定され、前記記録ユニットへ供給する液体を収容するカートリッジを保持するカートリッジホルダーと、を有し、
前記フレーム部は、長手方向に延伸する第１フレームと、前記第１フレームに対して交差する方向に前記第１フレームから延伸する第２フレームと、を含み、
前記カートリッジホルダーは、前記第１フレームおよび前記第２フレームのうちの一方のフレームに対して固定され、他方のフレームに対しては、前記他方のフレームとの相対的な移動を許容して許容以上の移動が規制されて対向していることを特徴とする記録装置。
【請求項２】
請求項１に記載の記録装置であって、
前記他方のフレームは、前記一方のフレームの延伸方向に沿って延びる延伸部を含み、
前記カートリッジホルダーは、前記延伸部に対して相対的な移動が許容されて許容以上の移動が規制されて対向していることを特徴とする記録装置。
【請求項３】
請求項１に記載の記録装置であって、
前記一方のフレームは、前記他方のフレームの延伸方向に沿って延びる延伸部を含み、
前記カートリッジホルダーは、前記延伸部に対して固定されていることを特徴とする記録装置。
【請求項４】
記録ユニットを保持するフレーム部と、
前記フレーム部に固定され、前記記録ユニットへ供給する液体を収容するカートリッジを保持するカートリッジホルダーと、
前記カートリッジホルダーの底面に対向する対向部と、を有し、
前記カートリッジホルダーは、前記フレーム部および前記対向部のうちの一方に固定され、他方に対しては、前記他方との相対的な移動を許容して許容以上の移動が規制されて対向していることを特徴とする記録装置。
【請求項５】
請求項４に記載の記録装置であって、
前記フレーム部を支持するベース部を有し、
前記対向部は前記ベース部から延伸していることを特徴とする記録装置。
【請求項６】
請求項１から請求項５のいずれか一項に記載の記録装置であって、
前記カートリッジホルダーには、前記カートリッジの電極部と導通可能な電極部が備えられたことを特徴とする記録装置。
【請求項７】
請求項１から請求項６のいずれか一項に記載の記録装置であって、
記録媒体に記録を行う記録ヘッドを搭載し、往復移動するキャリッジを備え、
前記フレーム部は、前記キャリッジの移動をガイドするガイド部を備えていることを特徴とする記録装置。
【発明の詳細な説明】
【技術分野】
【０００１】
本発明は、記録装置に関する。
【背景技術】
【０００２】
記録装置の一例であるインクジェット式プリンターは、記録ヘッドを備えたキャリッジを往復移動させながら、搬送される紙などの記録媒体にインクを噴射させて画像を形成する。例えば、特許文献１の記録装置は、カートリッジホルダーに保持されたインクカートリッジからインクが記録ヘッドに供給される。このような記録装置には、正面や側面などに設けられた複数のフレームが結合されて構成され、カートリッジホルダーが二つのフレームに亘って固定されたものがある。
また、例えば、特許文献２の記録装置は、カートリッジホルダーに、インクカートリッジの識別情報やインク消費量の情報などを取得するため、インクカートリッジの電極部と導通可能な電極部が設けられている。
【先行技術文献】
【特許文献】
【０００３】
【特許文献１】特開２０１３−４９２０１号公報
【特許文献２】特開２０１３−１３９１４０号公報
【発明の概要】
【発明が解決しようとする課題】
【０００４】
しかしながら、複数のフレームが結合されて構成された記録装置には、組み立て精度が低いものがある。そのような記録装置において、カートリッジホルダーを二つのフレームに亘ってネジなどによって固定すると、フレームに設けられたネジ穴などの固定部位間の距離に合わせてカートリッジホルダーが二つのフレームに固定される。そのため、二つのフレームからカートリッジホルダーに対して外力がかかることにより、カートリッジホルダーが変形することがある。カートリッジホルダーが変形すると、インクカートリッジがカートリッジホルダーにおける正常な位置に収容されない。インクカートリッジが正常な位置に収容されないと、カートリッジホルダーに備えられた電極部が、インクカートリッジの電極部と導通しないため、インクカートリッジの識別情報やインク消費量の情報などを取得できないという課題がある。
【課題を解決するための手段】
【０００５】
本発明は、上述の課題の少なくとも一部を解決するためになされたものであり、以下の形態または適用例として実現することが可能である。
【０００６】
［適用例１］記録ユニットを保持するフレーム部と、前記フレーム部に固定され、前記記録ユニットへ供給する液体を収容するカートリッジを保持するカートリッジホルダーと、を有し、前記フレーム部は、長手方向に延伸する第１フレームと、前記第１フレームに対して交差する方向に前記第１フレームから延伸する第２フレームと、を含み、前記カートリッジホルダーは、前記第１フレームおよび前記第２フレームのうちの一方のフレームに対して固定され、他方のフレームに対しては、前記他方のフレームとの相対的な移動を許容して許容以上の移動が規制されて対向していることを特徴とする記録装置。
【０００７】
本適用例によれば、カートリッジホルダーは、第１フレームおよび第２フレームのうちの一方のフレームに対して固定され、他方のフレームに対しては、他方のフレームとの相対的な移動を許容して許容以上の移動が規制されて対向している。これにより、第１フレームおよび第２フレームからカートリッジホルダーに対して外力がかかることが抑制され、カートリッジホルダーの変形が抑制される。そのため、インクカートリッジがカートリッジホルダーにおける正常な位置に収容される。
【０００８】
［適用例２］前記他方のフレームは、前記一方のフレームの延伸方向に沿って延びる延伸部を含み、前記カートリッジホルダーは、前記延伸部に対して相対的な移動が許容されて許容以上の移動が規制されて対向していることを特徴とする上記記録装置。
【０００９】
本適用例によれば、カートリッジホルダーの姿勢変化が抑制されるとともに、カートリッジホルダーに対して外力が作用しない。そのため、カートリッジホルダーの変形が抑制される。
【００１０】
［適用例３］前記一方のフレームは、前記他方のフレームの延伸方向に沿って延びる延伸部を含み、前記カートリッジホルダーは、前記延伸部に対して固定されていることを特徴とする上記記録装置。
【００１１】
本適用例によれば、カートリッジホルダーの姿勢が保持される。
【００１２】
［適用例４］記録ユニットを保持するフレーム部と、前記フレーム部に固定され、前記記録ユニットへ供給する液体を収容するカートリッジを保持するカートリッジホルダーと、前記カートリッジホルダーの底面に対向する対向部と、を有し、前記カートリッジホルダーは、前記フレーム部および前記対向部のうちの一方に固定され、他方に対しては、前記他方との相対的な移動を許容して許容以上の移動が規制されて対向していることを特徴とする記録装置。
【００１３】
本適用例によれば、カートリッジホルダーが底面側に移動する姿勢変化が抑制されるとともに、カートリッジホルダーに対して外力が作用しない。そのため、カートリッジホルダーの変形が抑制される。
【００１４】
［適用例５］前記フレーム部を支持するベース部を有し、前記対向部は前記ベース部から延伸していることを特徴とする上記記録装置。
【００１５】
本適用例によれば、対向部はベース部に強固に固定される。
【００１６】
［適用例６］前記カートリッジホルダーには、前記カートリッジの電極部と導通可能な電極部が備えられたことを特徴とする上記記録装置。
【００１７】
本適用例によれば、カートリッジホルダーが変形することを抑制できるので、カートリッジの電極部とカートリッジホルダーに備えられた電極部が導通しないことを抑制できる。
【００１８】
［適用例７］記録媒体に記録を行う記録ヘッドを搭載し、往復移動するキャリッジを備え、前記フレーム部は、前記キャリッジの移動をガイドするガイド部を備えていることを特徴とする上記記録装置。
【００１９】
本適用例によれば、カートリッジホルダーからフレーム部に対して外力が作用しない。これにより、フレーム部に架設されたガイド部の変形が抑制される。そのため、ガイド部に沿って往復移動するキャリッジの位置精度が低下し、キャリッジに搭載された記録ヘッドからインクが噴射されて記録媒体に形成される画像品質が低下することを抑制できる。
【図面の簡単な説明】
【００２０】
【図１】インクジェット式プリンターのフレームが見える状態での斜視図。
【図２】（ａ）は、インクジェット式プリンターの側断面図、（ｂ）は、第１ガイド部材、第２ガイド部材の部分を拡大した図。
【図３】カートリッジホルダーに挿抜可能に保持されるインクカートリッジの斜視図。
【図４】インクカートリッジの斜視図。
【図５】正面フレームと中間フレームに支持されたカートリッジホルダーを示す斜視図。
【図６】正面フレームおよび中間フレームにおいてカートリッジホルダーが備えられる部分を示す斜視図。
【図７】（ａ）は、中間フレームに設けられた環状部の部分の斜視図、（ｂ）は、環状部に突出部が貫通する状態を示す斜視図。
【図８】カートリッジホルダーを下側から見た斜視図。
【図９】フレーム部とカートリッジホルダーとの関係を説明するための模式図。
【発明を実施するための形態】
【００２１】
以下、記録装置の一実施形態について、図面に従って説明する。
図１は、本実施形態における記録装置の一例であるインクジェット式プリンター（以降は、プリンターという）１のカバーを取り外し、フレームが見える状態での正面側（副走査方向Ｙにおける下流側）から見た斜視図である。
【００２２】
プリンター１の主走査方向Ｘにおける両側には、ベース部１４から鉛直方向Ｚにおける上方に立設する側面フレーム２，３が設けられる。以降は、「上方」、「下方」、「上側」、「下側」、「上部」、「下部」は、鉛直方向Ｚにおける方向、部位をいう。
【００２３】
正面フレーム４は、主走査方向Ｘに延在し、主走査方向Ｘの両端部が側面フレーム２，３に固定される。キャリッジ９の下部には、インクを噴射する記録ヘッド１０が備えられる。
【００２４】
ガイド軸６は、側面フレーム２，３に架設される。キャリッジ９は、円柱状のガイド軸６の外周面と摺動可能に備えられ、主走査方向Ｘに移動可能に備えられる。
【００２５】
無端ベルト１１は、キャリッジモーター（不図示）の駆動軸に直結された駆動ローラー（不図示）と、従動ローラー（不図示）に巻き掛けられて備えられる。キャリッジ９の背面側（副走査方向Ｙにおける上流側）は、無端ベルト１１に固定され、キャリッジモーターの駆動回転に伴って、キャリッジ９が主走査方向Ｘに移動する。
【００２６】
正面フレーム４の図面左側の上部には、液体を収容するカートリッジとしてのインクカートリッジ８０，８１（図３参照）を保持するカートリッジホルダー５が備えられる。インクカートリッジ８０，８１は、カートリッジホルダー５の底板部５ｄの内側に設けられたガイドレール５０１に案内されて、カートリッジホルダー５に挿抜可能に装着される。
【００２７】
インク供給チューブ１２の一端は、キャリッジ９に支持されて記録ヘッド１０に連通する。インク供給チューブ１２は、キャリッジ９の往復移動に伴って変形可能に備えられる。
【００２８】
ベース部１４の正面側には、用紙カセット（不図示）が装着される装着部１３が設けられる。用紙カセットには、記録媒体としての用紙が収容される。
【００２９】
図２（ａ）は、図１のプリンター１を主走査方向Ｘにおける図面右側から見た側断面図である。キャリッジ９の下方には、搬送駆動ローラー２２、搬送駆動ローラー２２に当接して従動回転する従動ローラー２３が備えられる。従動ローラー２３は、ローラー支持部材２１に支持されて備えられる。
【００３０】
キャリッジ９の背面側には、図示しない、給送ローラー、中間ローラー、中間ローラーに対して従動回転する従動ローラーなどが備えられる。用紙カセットに収容された最上部の用紙は、給送ローラーによって取り出され、中間ローラー、従動ローラーによって搬送駆動ローラー２２と従動ローラー２３とのニップ位置まで給送される。
【００３１】
搬送駆動ローラー２２と従動ローラー２３とによって、用紙が支持部２４に沿って副走査方向Ｙの下流側に搬送される。支持部２４上を搬送される用紙に、往復移動する記録ヘッド１０からインクが噴射されて画像が形成される。画像が形成された用紙は、搬送駆動ローラー２２の副走査方向Ｙの下流側に備えられた、第１排出ローラー対２５、第２排出ローラー対２６によって、副走査方向Ｙの下流側に搬送されて排出される。
【００３２】
図２（ｂ）は、図２（ａ）の第１ガイド部材７、第２ガイド部材８の部分（破線Ａで示した円内）を拡大した図である。第１ガイド部材７の主走査方向Ｘから見た断面形状は、鉛直方向Ｚに延びる壁部７０１、壁部７０１の上部に接続されて副走査方向Ｙの下流側に延びる壁部７０２、壁部７０１の下部に接続されて副走査方向Ｙの下流側に延びる壁部７０３を有する。
【００３３】
第２ガイド部材８の主走査方向Ｘから見た断面形状は、鉛直方向Ｚに延びる壁部８０１、壁部８０１の上部に接続されて副走査方向Ｙの上流側に延びる壁部８０２を有する。
【００３４】
摺動部２０は、キャリッジ９における背面側の上部に設けられ、ガイド軸６の上方であって、第１ガイド部材７と第２ガイド部材８との間に位置する。キャリッジ９の往復移動に伴って、摺動部２０は、第１ガイド部材７の壁部７０１の背面側の面７０１ａと第２ガイド部材８の壁部８０１の正面側の面８０１ａとに摺動可能に備えられる。
【００３５】
図３は、カートリッジホルダー５に挿抜可能に保持されるインクカートリッジ８０，８１の斜視図である。インクカートリッジ８０，８１は、略直方体状の形状である。インクカートリッジ８０は、内部にモノクロインクが収容された液体収容部（不図示）を備える。インクカートリッジ８１は、内部にイエローインク、マゼンタインク、シアンインクがそれぞれ収容された液体収容部（不図示）を備える。
【００３６】
インクカートリッジ８０、インクカートリッジ８１における、副走査方向Ｙの奥行き、鉛直方向Ｚの高さは同じである。インクカートリッジ８０における主走査方向Ｘの幅は、インクカートリッジ８１における主走査方向Ｘの幅より長い。
【００３７】
図４は、カートリッジホルダー５に装着された姿勢における背面側から見た図で、インクカートリッジ８１の斜視図である。インクカートリッジ８１の背面側の上部には、傾斜面８１０に備えられて、電極部８１２が設けられた回路基板８１１が備えられる。
【００３８】
インクカートリッジ８１の背面側の中央部には、インク供給口８１３が設けられる。図１のカートリッジホルダー５にインクカートリッジ８１を装着すると、カートリッジホルダー５の背面側に設けられたインク供給針５００とインク供給口８１３とが接続される。
【００３９】
同様に、インクカートリッジ８０の図示しない背面側にも、上部の傾斜面８１０に備えられて、電極部８１２が設けられた回路基板８１１が備えられ、背面側の中央部にはインク供給口８１３が設けられる。インクカートリッジ８０，８１に収容されたインクは、インク供給針５００、インク供給チューブ１２を介して記録ヘッド１０に供給される。
【００４０】
図５は、正面フレーム４と中間フレーム３０に支持されたカートリッジホルダー５を示す斜視図である。カートリッジホルダー５の天板部５ｂの内側には、副走査方向Ｙに延びるガイドレール５０３が設けられ、図１のカートリッジホルダー５の底板部５ｄの内側に設けられた副走査方向Ｙに延びるガイドレール５０１とともに、インクカートリッジ８０，８１を挿抜する際に案内する。
【００４１】
カートリッジホルダー５における内部背面側の上部には、電極部５０２が備えられる。図３のインクカートリッジ８０，８１がカートリッジホルダー５に装着された状態で、それぞれのインクカートリッジ８０，８１に設けられた電極部８１２と、図５のカートリッジホルダー５に設けられた電極部５０２とが当接し、導通可能である。
【００４２】
インクカートリッジ８０，８１の回路基板８１１の電極部８１２と反対側には記憶素子（不図示）が備えられており、電極部８１２と電極部５０２とが導通することによって、プリンター１の制御部（不図示）は、インクカートリッジ８０，８１の識別子やインク消費量の情報などを記憶素子から取得することができる。
【００４３】
図６は、正面フレーム４および中間フレーム３０においてカートリッジホルダー５が備えられる部分を示す斜視図である。正面フレーム４は、主走査方向Ｘから見た断面形状が略Ｌ字状の金属製の板状部材で構成され、側面フレーム２の角部における正面側と上側に当接する。
【００４４】
側面フレーム２の突出部２０１は、正面フレーム４に設けられた開口部４０４に嵌合し、側面フレーム２に対する正面フレーム４の位置が定まる。正面フレーム４は、ネジ４０１によって側面フレーム２に固定される。
【００４５】
中間フレーム３０は、上側から見た形状が略三角形状の金属製の板状部材である。側面フレーム２に設けられた突出部２０２は、中間フレーム３０に設けられた開口部３０２に嵌合し、側面フレーム２に対する中間フレーム３０の位置が定まる。中間フレーム３０は、ネジ３０１によって側面フレーム２に固定される。また、中間フレーム３０は鉛直方向Ｚに立設する壁部１５に下側から支持される。
【００４６】
中間フレーム３０の背面側には、前述した第１ガイド部材７、第２ガイド部材８が主走査方向Ｘに延在し、主走査方向Ｘの両端部が側面フレーム２、図１の側面フレーム３に架設される。
【００４７】
正面フレーム４には、上側に突出した先端部が主走査方向Ｘに延びる形状の係合部４０２が設けられる。また、正面フレーム４には、ネジ穴４０３が設けられる。
【００４８】
中間フレーム３０の上面３０ａにおける中央部には、環状部３０３が設けられる。図７（ａ）は、中間フレーム３０の上面３０ａに設けられた環状部３０３の部分の斜視図である。
【００４９】
環状部３０３は、開口部３０４が形成された上面３０ａから立設する２つの突出部３０３ｂと、両端部が突出部３０３ｂと接続されて主走査方向Ｘに延びる延在部３０３ａを有する。環状部３０３には、上面３０ａと突出部３０３ｂと延在部３０３ａとによって囲まれる開口部３０３ｃが形成される。
【００５０】
図８は、カートリッジホルダー５を下側から見た斜視図である。カートリッジホルダー５は、正面側が開口する略箱形状である。カートリッジホルダー５は、底板部５ｄ、底板部５ｄから主走査方向Ｘにおける両側側面を形成する側板部５ａ，５ｃ、底板部５ｄと対向する天板部５ｂを有する。
【００５１】
側板部５ａ，５ｃ、天板部５ｂは金属製の板状部材が折り曲げられて一体に形成されたものである。側板部５ａ，５ｃは、ネジ５０８によって底板部５ｄに固定される。
【００５２】
底板部５ｄの外側には、開口部５０９、貫通孔５０５を有して下方に突出する突出部５０４、開口部５０６側に突出する突出部５０７が形成される。
【００５３】
図５に示すように、正面フレーム４の係合部４０２（図６参照）は、カートリッジホルダー５の被係合部となる開口部５０９（図８参照）に挿入され、正面フレーム４に対するカートリッジホルダー５の正面側の位置が定まる。図５のネジ５１０が、カートリッジホルダー５の突出部５０４に設けられた貫通孔５０５（図８参照）を通り、正面フレーム４のネジ穴４０３（図６参照）に螺合することによって、カートリッジホルダー５の底板部５ｄの正面側が、正面フレーム４に固定される。
【００５４】
図７（ｂ）は、中間フレーム３０に設けられた環状部３０３の開口部３０３ｃにカートリッジホルダー５の底板部５ｄに設けられた突出部５０７が貫通する状態を示す斜視図である。
【００５５】
図７（ａ）の開口部３０３ｃは、突出部５０７の主走査方向Ｘにおける断面形状より広い。これにより、突出部５０７は、開口部３０３ｃの範囲で移動可能であるので、環状部３０３を貫通する突出部５０７を、環状部３０３によって固定しない。また、環状部３０３を貫通する突出部５０７は、開口部３０３ｃの範囲内で移動が規制されるので、カートリッジホルダー５の姿勢が保持される。
【００５６】
延在部３０３ａは、カートリッジホルダー５の底板部５ｄに形成された開口部５０６に挿入される。このような構成により、環状部３０３と突出部５０７とによって構成される移動規制部により、カートリッジホルダー５は、中間フレーム３０との相対的な移動が許容されとともに許容以上の移動が規制され、底板部５ｄが上面３０ａに対向した状態で備えられる。
【００５７】
カートリッジホルダー５の底板部５ｄと中間フレーム３０の上面３０ａとは接した状態でカートリッジホルダー５が備えられることが望ましい。これにより、使用者がインクカートリッジ８０，８１をカートリッジホルダー５に収容したり、カートリッジホルダー５から取り出す際に、カートリッジホルダー５が傾いてしまい、姿勢が保持されないことを抑制する。また、底板部５ｄと上面３０ａとが接することにより、プリンター１を運搬する際などに振動音が発生することを抑制する。尚、底板部５ｄと上面３０ａとの間に隙間があってもよい。
【００５８】
以上、本実施形態で説明したプリンター１は、記録ヘッド１０を含む記録ユニットを保持するフレーム部に固定され、記録ユニットへ供給する液体としてのインクを収容するインクカートリッジ８０，８１を保持するカートリッジホルダー５を有し、フレーム部は、長手方向（主走査方向Ｘ）に延伸する第１フレームとしての正面フレーム４と、正面フレーム４に対して交差する方向（副走査方向Ｙ）に正面フレーム４から延伸する第２フレームとしての側面フレーム２と、を含み、カートリッジホルダー５は、正面フレーム４に対して固定され、側面フレーム２に対しては、側面フレーム２との相対的な移動を許容して許容以上の移動が規制されて対向して備えられる。
【００５９】
この構成によれば、正面フレーム４および側面フレーム２からカートリッジホルダー５に対して外力がかかることが抑制され、カートリッジホルダー５の変形が抑制される。そのため、インクカートリッジ８０，８１がカートリッジホルダー５における正常な位置に収容される。
【００６０】
また、側面フレーム２には、正面フレーム４の延伸方向（主走査方向Ｘ）に沿って延びる延伸部としての中間フレーム３０が備えられ、カートリッジホルダー５は、中間フレーム３０に対して相対的な移動が許容されて許容以上の移動が規制される（図７（ｂ）参照）。
【００６１】
これにより、カートリッジホルダー５の姿勢変化が抑制されるとともに、カートリッジホルダー５に対して外力が作用しない。そのため、カートリッジホルダー５の変形が抑制される。
【００６２】
また、カートリッジホルダー５には、インクカートリッジ８０，８１の電極部８１２と導通可能な電極部５０２が備えられる。
【００６３】
カートリッジホルダー５が変形することを抑制できるので、インクカートリッジ８０，８１の電極部８１２とカートリッジホルダー５に備えられた電極部が導通しないことを抑制できる。
【００６４】
また、用紙に記録を行う記録ヘッド１０を搭載し、往復移動するキャリッジ９を備え、側面フレーム２は、キャリッジ９の移動をガイドするガイド部としての、第１ガイド部材７および第２ガイド部材８を備えている。
【００６５】
本実施形態によれば、カートリッジホルダー５から側面フレーム２に対して外力が作用しない。これにより、側面フレーム２に架設された、第１ガイド部材７および第２ガイド部材８の変形が抑制される。そのため、第１ガイド部材７および第２ガイド部材８に沿って往復移動するキャリッジ９の位置精度が低下し、キャリッジ９に搭載された記録ヘッド１０からインクが噴射されて用紙に形成される画像品質が低下することを抑制できる。
【００６６】
図９（ａ）〜（ｆ）は、フレーム部とカートリッジホルダーとの関係を説明するための模式図である。本実施形態では、カートリッジホルダー５を中間フレーム３０に備えたが、図９（ａ）に示すように、カートリッジホルダー５０を正面フレーム６０と側面フレーム６１に備えてもよい。
【００６７】
図９（ａ）のキャリッジ７０は、記録ヘッド７１と、ガイド部７３に対して摺動する摺動部７２とを備え、主走査方向Ｘに往復移動可能に備えられる。側面フレーム６１，６２は、主走査方向Ｘに延在する正面フレーム６０、背面フレーム６３に対して交わる方向（副走査方向Ｙ）に延在する。
【００６８】
カートリッジホルダー５０と正面フレーム６０とは、ネジ（不図示）とネジ穴（不図示）とによって構成される固定部Ｂ１によって固定される。図９（ｂ）は、図９（ａ）の移動規制部Ｃ１を説明するための図である。ネジ１００は、側面フレーム６１の貫通孔６１ａを通り、カートリッジホルダー５０のネジ穴５０ａに螺合する。貫通孔６１ａの直径は、ネジ１００の外径より長い。これにより、カートリッジホルダー５０は、移動規制部Ｃ１によって、側面フレーム６１に対して相対的な移動が許容されるとともに、許容以上の移動が規制される。
【００６９】
本実施形態では、カートリッジホルダー５は、延伸部としての中間フレーム３０に対して相対的な移動が許容されて備えられたが（図７（ｂ）参照）、カートリッジホルダーは、延伸部に固定されてもよい。図９（ｃ）の破線で示した延伸部９０は、側面フレーム６１に備えられ、側面フレーム６１から正面フレーム６０の延伸方向（主走査方向Ｘ）に沿って延びるようにして備えられる。カートリッジホルダー５０は、固定部Ｂ２によって延伸部９０に対して固定される。
【００７０】
図９（ｄ）は、図９（ｃ）の移動規制部Ｃ２を説明するための図である。ネジ１０１は、側面フレーム６１の貫通孔６１ｂを通り、延伸部９０のネジ穴９０ａに螺合する。貫通孔６１ｂの直径は、ネジ１０１の外径より長い。これにより、延伸部９０は、移動規制部Ｃ２によって、側面フレーム６１に対して相対的な移動が許容されるとともに許容以上の移動が規制される。
【００７１】
カートリッジホルダー５０は、固定部Ｂ１によって正面フレーム６０に固定される。このような構成により、図９（ｃ）のカートリッジホルダー５０は、正面フレーム６０に固定され、延伸部９０を介して、側面フレーム６１に対して相対的な移動が許容されるとともに許容以上の移動が規制される。
【００７２】
また、図９（ｅ）に示すように、移動規制部Ｃ２を構成して延伸部９０を側面フレーム６１に備え、移動規制部Ｃ３を構成してカートリッジホルダー５０を延伸部９０に備えてもよい。カートリッジホルダー５０は、正面フレーム６０に対して固定部Ｂ１によって固定され、側面フレーム６１に対しては、延伸部９０を介して相対的な移動が許容されるとともに許容以上の移動が規制される。移動規制部Ｃ２，Ｃ３を設けることにより、相対的な移動を許容する量を大きくすることができる。
【００７３】
また、図９（ｆ）に示すように、側面フレーム６１の内側に備えられ、ベース部６４から立設する壁部９１と壁部９１の上端部に設けられて主走査方向Ｘに延在する壁部９２とによって構成される対向部９３を備え、対向部９３が、カートリッジホルダー５０の底面に対向する位置に備えるようにしてもよい。カートリッジホルダー５０と対向部９３とは接しても隙間があってもよい。
【００７４】
カートリッジホルダー５０は、正面フレーム（不図示）などのフレーム部および対向部９３のうちの一方に固定され、他方に対しては、他方との相対的な移動を許容して許容以上の移動が規制される。
【００７５】
これによれば、カートリッジホルダー５０が底面側に移動する姿勢変化が抑制されるとともに、カートリッジホルダー５０に対して外力が作用しない。そのため、カートリッジホルダー５０の変形が抑制される。また、対向部９３は、ベース部６４に強固に固定される。
【００７６】
図９（ｅ）の延伸部９０は、側面フレーム６１と一体に形成された部材であってもよい。このような構成の場合、カートリッジホルダー５０は、延伸部９０に対して相対的な移動が許容されて許容以上の移動が規制された状態に備えられる。
【００７７】
以上説明したカートリッジホルダーの変形を抑制する方法は、インクを噴射するノズルが記録媒体の搬送方向と交わる方向に並び、フレーム部に対する位置が固定された記録ヘッドを有する記録装置にも適用する。
【符号の説明】
【００７８】
１…インクジェット式プリンター、２，３，６１，６２…側面フレーム、４，６０…正面フレーム、５，５０…カートリッジホルダー、７…第１ガイド部材、８…第２ガイド部材、９，７０…キャリッジ、１０，７１…記録ヘッド、１４，６４…ベース部、３０…中間フレーム、７３…ガイド部、８０，８１…インクカートリッジ、９０…延伸部、９３…対向部、３０３…環状部、５０２…電極部、５０６…開口部、５０７…突出部、Ｂ１，Ｂ２…固定部、Ｃ１，Ｃ２，Ｃ３…移動規制部。
【図１】
2015174274.tif 000003
【図２】
2015174274.tif 000004
【図３】
2015174274.tif 000005
【図４】
2015174274.tif 000006
【図５】
2015174274.tif 000007
【図６】
2015174274.tif 000008
【図７】
2015174274.tif 000009
【図８】
2015174274.tif 000010
【図９】
2015174274.tif 000011